(57)【要約】      （修正有）【課題】電力を造る側では、原子発電が多数出現したが、その危険性が明らかになり、太陽や風、地熱等の自然エネルギーの開発普及が急がれているが原子発電比でコストが高く、電力の不足が問題となっており。電力を使用する側では節電が叫ばれており、安全で安価な動力を発生する装置が地球規模で望まれている。【解決手段】永久磁石間の異極吸引力、同極反発力を利用した複数の磁石同調回転装置で、永久磁石板８の側面に回転軸９を固定させた永久磁石板８を支持柱１０間に回転自在に儲けて第１装置１とｒする。前記第１装置１と同一の構成を有する第２装置、第３装置、第４装置を設け、前記第１装置１の永久磁石板８を回転させると、前記第２装置、第３装置、第４の装置の永久回転板８が順次同調回転する。【選択図】図４
2013188021.tif 000002
【特許請求の範囲】
【請求項１】
永久磁石間の異極吸引力又は同極反発力と前記吸引力又は反発力が対象物に近づく程その磁力の増大するのを利用した無連絡の複数の永久磁石同調回転装置であって、
永久磁石板の両側面に回転軸を有する永久磁石板を支持柱間に回転自在に設けて第１装置とし、前記第１装置と同一の構成を有する第２装置が、前記第１装置を回転させると、その永久磁石板が回転可能となる所定位置に設けた無連絡の第２装置の永久磁石板が前記第１装置の永久磁石板の回転に同調し回転することを特徴とする磁石同調回転装置。
【請求項２】
前記第１装置と同一の構成を有する第２装置に続き、第３、第４、装置が、前記第１装置の永久磁石板を回転させると、前記第２装置に続き、第３、第４、と多数の装置の永久磁石板が順次回転可能となる所定位置に連続して設けた無連絡の複数の磁石同調回転装置の永久磁石板が同調して回転することを特徴とする請求項１記載の磁石同調回転装置。      
【請求項３】
前記複数の磁石同調回転装置のうち、何れかの磁石同調回転装置の軸をモーター軸に連結させることで永久磁石版をモーター駆動力で回転させ、その永久磁石版の回転を無連絡の他の相対するそれぞれの磁石同調回転装置に同調させ回転させることを特徴とする請求項１又は請求項２に記載の磁石同調回転装置。       
【発明の詳細な説明】
【技術分野】
【０００１】
本発明は、複数の磁石を同調回転させることにより回転動力を発生させる装置である。
【背景技術】
【０００２】
近年、磁石の開発が進み、例えばサマリュームコバルト磁石、フェライト磁石、アルニコ磁石、ネオジウム磁石が公知であり、特にネオジウム磁石が永久磁石のうちでは最も協力とされている。
【０００３】
他方、上記の様な永久磁石の磁力による動力の発生装置は古今東西を問わず数多く発表されているが、いずれも複雑に部分的に多数の磁石を儲け、その磁石同士が近づき、離れるときに発生する吸引力と反発力で回転力を発生させる装置である。
（例えば特許文献１参照）  
【先行技術文献】
【特許文献】
【０００４】
【特許文献１】特開２０１１−１９６４５１公報
【発明の概要】
【発明が解決しようとする課題】
【０００５】
実用されていない上記のような従来の多くの磁石部品を用いる装置に変わり、本発明では、一つの磁石回転装置を回転させることにより、相対して無連絡に配置された他の磁石回転装置を直接同調回転させて回転動力を発生させる装置を提供する。
【課題を解決するための手段】
【０００６】
本発明は、永久磁石間の異極吸収引力又は同極反発力と対象物に近付く程その磁力が増大する特徴を利用した磁石同調回転装置であって、永久磁石の両側面の中心に回転軸を有する永久磁石板を支持柱間に回転自在に設けて第１の装置とし、前記第１装置と同一の構成を有する第２の装置を前記第１装置の永久磁石板を回転させると、前記第２装置の永久磁石板が回転可能となる所定の位置に無連絡に設けられて同調回転する磁石同調回転装置であり、永久磁石の上面と底面の中心に回転軸を固定しても良い。
【０００７】
なお、前記第１装置と同一の構成を有する第２、に続き、第３、第４、と数多くの装置が、前記第１装置を回転させると、前記第２装置に続き、第３、第４、装置の永久磁石板が順次回転可能となる所定位置に連続して設けた無連絡の複数の磁石同調回転装置の永久磁石板が同調して回転することを特徴とする請求項１記載の磁石同調回転装置としても良い。
【０００８】
。       
また、前記回転可能な位置に無連絡に置かれた磁石同調回転装置のうち、何れか一つの磁石同調回転装置の軸をモーターの軸に連結させることで永久磁石版をモーターの駆動力で回転させ、その永久磁石版の回転を無連絡に他の相対するそれぞれの磁石同調回転装置に同調させ、あたかも前記モーターの分身的な役割を担って、各磁石同調回転装置の永久磁石板を回転させることを特徴とする請求項１又は請求項２に記載の磁石同調回転装置。
【発明の効果】
【０００９】
本発明の、磁力による磁石同調回転装置は、磁石間の異極吸引力又は同極反発力と対象物に近付く程磁力が増大する特徴を利用した複数の磁石同調回転装置であって、永久磁石板の両側面に回転軸を有する永久磁石板を回転自在に設けて第１装置として、前記第１装置と同様な構成を有する第２の装置を前記第１装置の永久磁石板を回転させると前記第２の装置の永久磁石板が回転可能となる位置に設けることにより第２の装置の永久磁石板が第１の磁石同調回転装置の永久磁石板の回転に同調回転し、前記第１の磁石回転装置の稼働力を増すことが出来る。
【００１０】
本発明の磁石同調回転装置の前記第１装置と同一の構成を有する第２、の他に、第３、第４と多数の装置が、前記第１装置の永久磁石板を回転させると、前記第２装置同様に、第３、第４の多数の装置の永久磁石板が順次回転可能となる所定位置に連続して設けた無連絡の複数の磁石同調回転装置の永久磁石板が同調して回転し、前記第１装置の永久磁石の回転駆動力を数倍に増すことが出来る装置としても良い。
【００１１】
また、前記の回転可能な位置に置かれた磁石同調回転装置のうち、何れか一つの磁石同調回転装置を選びその軸をモーターの軸に連結駆動させ、永久磁石版をモーターの駆動力で回転させ、該永久磁石版の回転を無連絡の他の相対するそれぞれの磁石同調回転装置に同調させ、そのそれぞれの永久磁石板を同調回転させて、あたかも前記モーターの分身的な役割を担って、各磁石同調回転装置の永久磁石板を回転させることでモーターによる回転駆動力の何倍かの回転力を生み出すことが出来る、又その他モーターに変わる動力で駆動回転するのも良い。
【００１２】
本発明の磁石同調回転装置は、例えば扇風機に応用しても一つの動力で数個の扇風機を使用でき節電となり、用途は色々考えられるが、発電機への利用を目指すことも考えられ、危険性を常に孕んでいる原子力発電、又太陽や風力、地熱、波浪、等自然エネルギーは未だコスト面、安定性、景観、等の面で普及が遅れており、本発明では磁石の本質である異極吸引力と同極反発力とその力の出る方法をこれに当てようとするものであり、簡単に且つ廉価に実施できるなどの効果を有している。
【図面の簡単な説明】
【００１３】
【図１】本発明の実施例になる永久磁石板が回転自在に取り付けられた２台の磁石同調回転装置の斜視図。
【図２】本発明の磁石同調回転装置の永久磁石板の動きの説明側面図。Ａは８分の一回転、Ｂは４分の１回転、Ｃは８分の５回転、Ｃは１回転までの各過程の説明図。
【図３】本発明の磁石同調回転装置の第一装置の前後（左右）に複数個配置された磁石同調回転装置の斜視図。
【図４】本発明の実施例となる配列された複数の磁石同調回転装置の一つの回転軸に電動モーターを結合、駆動回転力を与えた磁石同調回転装置。
【発明を実施するための最良の形態】
【００１４】
以下、本発明を実施例となる図面を参照しながら説明する。
【実施例１】
【００１５】
図１は本発明の第１の実施例となる磁石同調回転装置１５が２台、相対して配置されたところを示し、基台１３の上に第１装置１と第２装置左Ｌ２を所定の間隔を持って相対して配置した。  
永久磁石板８としてはネオジュウム磁石が望ましいが実験は４０ミリ×４０ミリ×１０ミリのフエオライト磁石板を用い、そのフエオライト磁石の両側面の中心に回転軸９の固定具１６を備え、回転軸９を直角に固定具１６に取り付けた、回転軸９の支持は軸受け穴１１を設けた支持柱１０により行い、基台１３には固定ネジ１２を用いて第１装置１、第２装置左２を固定した。  
【００１６】
なお、第１装置一と第２装置左２の設置間の距離は、磁石の大きさや磁力の強さ磁場の大きさによって選定しなければならないが、ＮＳ極間の吸引力とＮＮ、ＳＳ，極間の反発力が生じて第１装置１の永久磁石板８と第２装置左２の永久磁石板８が自在に回転できる距離が必要で本実施例では二つの回転軸９間を６５ミリにて実施した。  また、軸受け穴１１にはベアリングなど使用して摩擦を小さくするのが良い。
なお、基台１３を始め、支持柱１０など周囲の物質は磁石に反応しない素材
が必要であり、加工に関しては極度の精密度が必要となる。  
【実施例２】
【００１７】
図２は、本発明の実施例１の相対する第１装置１と第２装置左２を異極面に対面配置し、それぞれの永久磁石板８のどれかを第三者の力で駆動回転させて第１装置１とすると、相対する装置が第２装置左２となって前記第１装置１の回転に伴いお互いに吸引し合いながら同調し回転する。  
第１回転装置１が動き始め第２装置左２も回転軸９を中心に弧を画いて近づくと磁石の持つ異極吸引。同極反発とその対象物との距離が近接する程に磁力を強力にする原理で相互に吸引しながら第１装置１の永久磁石板８の回転に第２装置左２の永久回転板８が同調回転する動きをAからDの小間図をもっての説明である。
なお、前記第１装置と前記第２装置を同極対面に設置すると同方向に同調回転し、異極対面に設置すると逆方向に同調回転をする。
【実施例３】
【００１８】
図３は、本発明の実施例で数個の磁石同調回転装置１５を所定の位置に相対する面を
異極になるように配置して、複数の磁石同調回転装置１５のいずれか一つを回転させると、隣接した装置が第２装置左２、第２装置右３、となって前記図２で説明したように互いの吸引で同調回転するが、第２装置左２、第２装置右３の回転は異極吸引で第１装置１の回転とは逆方向の回転となる。
したがって、配列設置した各磁石同調回転装置１５は、上記第１装置１と第
２装置左２、第２装置右３との相互同調回転と同じように、第２装置左２、第２装置右３の回転に伴い第３装置左４、第３装置右５の永久磁石板８が相互に吸引し合い同調回転を行う。
第２装置左２、第２装置右３の回転に第３装置左４、第３装置右５が同調回転したのと同様に第３装置左４、第３装置右５の回転に第４装置左６、第４装置右７の永久磁石板８は同調回転をする。
【実施例４】
【００１９】
図４は、前記実施例で数個の磁石同調回転装置１５を所定の位置に相対する面を異
極になるように又回転可能に配置したが、そのいずれかの磁石同調回転装置１５のいずれかの一つの装置の回転軸９にモーター１４を連結させたところの部分図で、前記モーター１４の電力による回転が連結された第１装置１の永久磁石板８を駆動回転させることによりその前後（左右）に配置された第２装置左２、第２装置右３の永久磁石板８が同調回転をし、その先に隣接する第３装置左４、第３装置右５も同様に第２装置左２、第２装置右３の回転に同調して回転する。
第４装置左６、第４装置右７も第３装置左４、第３装置右５の回転に伴い前記同様に永久磁石板８が同調回転をする。
一つのモーター１４の回転力が倍、倍、となる数多い磁石同調回転装置１５の回転を示した部分図である。
【符号の説明】
【００２０】
１、  第１装置
２、  第２装置左  
３、  第２装置右  
４、  第３装置左  
５    第３装置右  
６、  第４層地左  
７、  第４装置右  
８、  永久磁石板
９、  回転軸
１０、  支持柱
１１、  回転軸受け穴
１２、  固定ネジ
１３、  基台
１４、  モーター
１５、  磁石同調回転装置
１６    回転軸固定具
Ｓ    永久磁石板Ｓ面
Ｎ    永久磁石板Ｎ面
【図１】
2013188021.tif 000003
【図２】
2013188021.tif 000004
【図３】
2013188021.tif 000005
【図４】
2013188021.tif 000006